(57)【要約】【課題】組み立ての簡素化を図り得る組電池、および組電池の製造方法を提供する。【解決手段】組電池は、複数の電池モジュール２０と、電池モジュールにおける側面２１から複数の電池モジュールを積層する積層方向Ｘに対して直交する方向Ｙに突出する係合凸部２２としての巻き締め部２９と、電池モジュールにおける側面のそれぞれに向かい合って配置され積層方向に沿って伸びる一対の壁部材４１と、一対の壁部材に設けられ電池モジュールの巻き締め部が嵌まり込む係合凹部４２と、係合凹部に嵌まり込んだ巻き締め部を固定する固定部材６０と、を有する。【選択図】図６
2008147046.tif 000002
【特許請求の範囲】
【請求項１】
複数の電池モジュールと、
前記電池モジュールにおける向かい合う端面から、前記複数の電池モジュールを積層する積層方向に対して直交する方向に突出する係合凸部と、
前記電池モジュールにおける前記端面のそれぞれに向かい合って配置され、前記積層方向に沿って伸びる一対の壁部材と、
前記一対の壁部材に設けられ、前記電池モジュールの前記係合凸部が嵌まり込む係合凹部と、
前記係合凹部に嵌まり込んだ前記係合凸部を固定する固定部材と、を有する組電池。
【請求項２】
前記電池モジュールは、複数のケース体の周縁部を相互に巻き締めることによって巻き締め部が形成されたモジュールケースを有し、
前記係合凸部は、前記巻き締め部から構成されていることを特徴とする請求項１に記載の組電池。
【請求項３】
前記積層方向に沿って隣り合う係合凹部は、前記積層方向に沿って隣り合う前記電池モジュール同士の間に空間部を形成する位置に形成されていることを特徴とする請求項１に記載の組電池。
【請求項４】
前記一対の壁部材は、前記複数の電池モジュールを収納する収納箱における向かい合う壁面から構成されていることを特徴とする請求項１に記載の組電池。
【請求項５】
前記収納箱は、前記複数の電池モジュールを収納するために開口された開口部と、
前記開口部に向かい合う背面壁と、
前記背面壁に設けられ、前記電池モジュール同士を電気的に接続するバスバを保持する保持部材と、を有することを特徴とする請求項４に記載の組電池。
【請求項６】
前記係合凹部は、前記開口部の端部から前記背面壁に向けて伸びるとともに前記係合凸部が摺動自在に嵌まり込む長溝から形成されていることを特徴とする請求項５に記載の組電池。
【請求項７】
前記背面壁は、冷却風を通過させる穴部が形成されていることを特徴とする請求項５に記載の組電池。
【請求項８】
前記固定部材は、前記積層方向に沿って移動自在に前記係合凹部に取り付けられ前記係合凹部との間で前記係合凸部を挟み込むことによって前記複数の電池モジュールの前記積層方向に沿う位置を定める固定子と、
前記係合凹部との間で前記係合凸部を挟み込む方向に前記固定子を移動させる移動部材と、を有することを特徴とする請求項１に記載の組電池。
【請求項９】
前記移動部材は、前記固定子への締結動作に伴って前記固定子を移動させるボルトから構成されていることを特徴とする請求項８に記載の組電池。
【請求項１０】
それぞれの電池モジュールの複数のケース体の周縁部を相互に巻き締めることによって巻き締め部を形成する工程と、
一対の壁部材に設けられた係合凹部に前記それぞれの電池モジュールの前記巻き締め部を嵌め込む工程と、
複数の電池モジュールを積層する積層方向に沿って固定子を移動し、前記係合凹部との間で前記それぞれの巻き締め部を挟み込むことによって前記複数の電池モジュールの前記積層方向に沿う位置を定める工程と、を有する組電池の製造方法。
【発明の詳細な説明】
【技術分野】
【０００１】
本発明は、組電池、および組電池の製造方法に関するものである。
【背景技術】
【０００２】
複数の電池モジュールを配列するとともに各電池モジュールを電気的に直列および／または並列に接続することにより、高出力および高容量の組電池とすることが一般的に行われている。電池モジュールの出力端子同士は、電池モジュールの外部において、ボルト止めされたバスバを介して電気的に接続されている。電池モジュールは、組電池を組み立てる単位ユニットをなし、電気的に接続された複数の単電池がケース内に収納されている。なお、電池モジュールは、電気的に接続された複数の単電池を備える点において組電池の一種であるが、本明細書においては、「組電池」を組み立てる際の単位ユニットであって、単電池をケース内に収納してなるユニットを「電池モジュール」と称することとする。
【０００３】
複数の電池モジュールを積層する場合、それら電池モジュールは、比較的長尺の通しボルトが挿通されて相互に締結されている。
【特許文献１】特開２００１−２２９８９６号公報
【発明の開示】
【発明が解決しようとする課題】
【０００４】
通しボルトを使用して複数の電池モジュールを積層する形態にあっては、通しボルトの軸力によって電池モジュールが座屈することがないように電池モジュール内にスリーブを組み付けたり、積層方向に沿って隣り合う電池モジュール同士の間に冷却風流路を確保するためのカラーを通しボルトに挿通したりしなければならず、組電池の組み立てが煩雑になるという問題がある。
【０００５】
本発明の目的は、組み立ての簡素化を図り得る組電池、および組電池の製造方法を提供することにある。
【課題を解決するための手段】
【０００６】
上記目的を達成するための請求項１に記載の発明は、複数の電池モジュールと、
前記電池モジュールにおける向かい合う端面から、前記複数の電池モジュールを積層する積層方向に対して直交する方向に突出する係合凸部と、
前記電池モジュールにおける前記端面のそれぞれに向かい合って配置され、前記積層方向に沿って伸びる一対の壁部材と、
前記一対の壁部材に設けられ、前記電池モジュールの前記係合凸部が嵌まり込む係合凹部と、
前記係合凹部に嵌まり込んだ前記係合凸部を固定する固定部材と、を有する組電池である。
【０００７】
上記目的を達成するための請求項１０に記載の発明は、それぞれの電池モジュールの複数のケース体の周縁部を相互に巻き締めることによって巻き締め部を形成する工程と、
一対の壁部材に設けられた係合凹部に前記それぞれの電池モジュールの前記巻き締め部を嵌め込む工程と、
複数の電池モジュールを積層する積層方向に沿って固定子を移動し、前記係合凹部との間で前記それぞれの巻き締め部を挟み込むことによって前記複数の電池モジュールの前記積層方向に沿う位置を定める工程と、を有する組電池の製造方法である。
【発明の効果】
【０００８】
本発明の組電池にあっては、電池モジュールの係合凸部を壁部材に設けられた係合凹部に嵌め込んで積層する形態であり、複数の電池モジュールに挿通させる通しボルトを必要としない。また、本発明の組電池の製造方法にあっては、電池モジュールの巻き締め部を壁部材に設けられた係合凹部に嵌め込んで積層する形態であり、複数の電池モジュールに挿通させる通しボルトを必要としない。このため、通しボルトの軸力を受けるスリーブを電池モジュール内に組み付ける必要がない。また、冷却風流路を確保するためのカラーを積層方向に沿って隣り合う電池モジュール同士の間に配置する必要もない。したがって、通しボルトを使用して複数の電池モジュールを積層する形態に比べて、電池モジュールの製造や組電池の組み立ての簡素化を図ることができる。
【発明を実施するための最良の形態】
【０００９】
以下、本発明の実施形態を図面を参照しつつ説明する。
【００１０】
図１（Ａ）は、本発明の実施形態に係る組電池１１を前面側から見た状態を示す斜視図、図１（Ｂ）は、組電池１１を背面側から見た状態を示す斜視図、図２（Ａ）（Ｂ）（Ｃ）は、それぞれ、組電池１１を示す平面図、正面図、および背面図である。図３（Ａ）（Ｂ）は、それぞれ、組電池１１を組み立てる際の単位ユニットである電池モジュール２０の一例を示す正面図、および左側面図、図３（Ｃ）は、図３（Ａ）の３Ｃ−３Ｃ線に沿う概略断面図、図４（Ａ）は、電池モジュール２０における係合凸部２２としての巻き締め部２９の説明に供する図、図４（Ｂ）は、図４（Ａ）の４Ｂ−４Ｂ線に沿う断面図である。図５は、扁平型電池２８の一例を示す斜視図である。図６（Ａ）（Ｂ）（Ｃ）は、係合凹部４２に嵌まり込んだ係合凸部２２としての巻き締め部２９を固定する固定部材６０の作用の説明に供する図である。なお、図１（Ａ）および図６（Ａ）の軸Ｘは、複数の電池モジュール２０を積層する積層方向を示し、軸Ｙは、積層方向に対して直交する方向を示している。
【００１１】
本実施形態の組電池１１は、概説すれば、複数の電池モジュール２０と、電池モジュール２０における向かい合う端面２１から、複数の電池モジュール２０を積層する積層方向Ｘに対して直交する方向Ｙに突出する係合凸部２２と、電池モジュール２０における端面２１のそれぞれに向かい合って配置され、積層方向Ｘに沿って伸びる一対の壁部材４１と、一対の壁部材４１に設けられ、電池モジュール２０の係合凸部２２が嵌まり込む係合凹部４２と、係合凹部４２に嵌まり込んだ係合凸部２２を固定する固定部材６０と、を有している。以下、詳述する。
【００１２】
図１および図２を参照して、組電池１１は、自動車や電車などの車両に搭載される車載電池であり、複数個の電池モジュール２０が空間を隔てて積層されている。電池モジュール２０を任意の個数直並列に接続することによって、所望の電流、電圧、容量に対応できる組電池１１となる。図示する組電池１１は、８個の電池モジュール２０を含み、図１において上下方向に２個積層された電池モジュール群２０ａが、左右方向に４列に配列されている。正負の出力端子２３、２４は、電池モジュール２０の前面に設けられている。
【００１３】
電池モジュール２０は空冷式であり、積層方向Ｘに沿って隣り合う電池モジュール２０同士の間には空間部４３が形成されている。この空間部４３は、電池モジュール２０のそれぞれを冷却するための冷却風が流下する冷却風流路として利用される。冷却風を流して各電池モジュール２０を冷却することにより、電池温度を下げ、充電効率などの特性が低下することを抑制する。
【００１４】
図３および図４を参照して、電池モジュール２０は、組電池１１を組み立てる単位ユニットをなし、直列接続された複数枚（例えば、８枚）の扁平型電池２８がモジュールケース２５内に収納されている。複数個の扁平型電池２８は、厚み方向（図４（Ｂ）において上下方向）に積層され、直列に接続されている。
【００１５】
モジュールケース２５は、複数のケース体、すなわち、開口部が形成された箱形状をなす第１ケース２６と、開口部を閉じる蓋体をなす第２ケース２７とを有している。第１ケース２６および第２ケース２７は、比較的薄肉の鋼板またはアルミ板から形成され、プレス加工によって所定形状が付与されている。第１と第２のケース２６、２７の周縁部２６ａ、２７ａを相互に巻き締めることによって、巻き締め部２９が形成されている。図３（Ｃ）および図４（Ｂ）に示すように、巻き締め部２９は、電池モジュール２０における向かい合う側面２１（向かい合う端面に相当する）から、複数の電池モジュール２０を積層する積層方向Ｘ（図中、上下方向）に対して直交する方向Ｙ（図中、左右方向）に突出している。本実施形態にあっては、係合凸部２２を、巻き締め部２９から構成してある。
【００１６】
正負の出力端子２３、２４は、第１ケース２６の一部に形成した切り欠き部を通してモジュールケース２５から外部に導出される。
【００１７】
図５を参照して、扁平型電池２８（以下、単に、「電池」ともいう）は、例えば、扁平なリチウムイオン二次電池であり、正極板、負極板およびセパレータを順に積層した積層型の発電要素（図示せず）がラミネートフィルムなどの外装材２８ａによって封止されている。電池２８は、発電要素に一端が電気的に接続されるとともに板状をなす電極２８ｔ（正極２８ｐおよび負極２８ｍの総称）が外装材２８ａから外部に導出されている。電極２８ｔは、電池２８の長手方向の両側に延びている。積層型の発電要素を備える電池２８にあっては、電極板間の距離を均一に保って電池性能の維持を図るために、発電要素に圧力を掛けて押さえる必要がある。このため、各電池２８は、発電要素が押さえつけられるようにモジュールケース２５に収納されている。電極２８ｔは、電池２８の積層方向Ｘに沿う両側から、保持プレート３０によって挟持されている（図４（Ｂ）参照）。保持プレート３０は、電気絶縁性を有する材料、例えば、電気絶縁性の樹脂材料から形成されている。
【００１８】
図１（Ａ）および図２（Ｂ）に示したように、前記一対の壁部材４１は、電池モジュール２０における側面２１のそれぞれに向かい合って配置され、積層方向Ｘ（図中、上下方向）に沿って伸びている。
【００１９】
一対の壁部材４１には、電池モジュール２０の係合凸部２２つまりモジュールケース２５の巻き締め部２９が嵌まり込む係合凹部４２が形成されている。電池モジュール２０は上下方向に２個積層されるので、１つの壁部材４１には、２段の係合凹部４２が積層方向Ｘ（上下方向）に離れて形成されている。積層方向Ｘに沿って隣り合う係合凹部４２は、積層方向Ｘに沿って隣り合う電池モジュール２０同士の間に空間部４３を形成する位置に形成されている（図２（Ｂ）参照）。
【００２０】
前記一対の壁部材４１は、複数の電池モジュール２０を収納する収納箱４４における向かい合う一対の壁面４５から構成されている。収納箱４４は、一対の壁面４５に、下板４６と天板４７とを組み合わせた箱形状を有している。この組電池１１は、４個の電池モジュール群２０ａを有しているので、一対の壁部材４１が４組必要となる。図示例では、各電池モジュール群２０ａは、４個の収納箱４４を連接した形態、つまり、４個の収納室４８が設けられた収納容器４９に収納される。隣り合う電池モジュール群２０ａ同士は、隣り合う収納室４８を仕切る壁面４５を、１つの壁部材４１として共用している。
【００２１】
収納箱４４は、複数（図示例では上下２個）の電池モジュール２０を収納するために開口された開口部４４ａと、開口部４４ａに向かい合う背面壁５０と、背面壁５０の外面に設けられ、電池モジュール２０同士を電気的に接続するバスバ５１を保持する保持部材５２と、を有している。
【００２２】
８個の電池モジュール２０は、横方向または縦方向に伸びるバスバ５１を介して、直列に接続されている。図１（Ｂ）に最も左側に示される電池モジュール群２０ａにおいて、上段の電池モジュール２０における正の出力端子２３にはバスバ５３が接続され、下段の電池モジュール２０における負の出力端子２４にはバスバ５４が接続されている。バスバ５３により、組電池１１の正の出力端子が形成され、バスバ５４により、組電池１１の負の出力端子が形成される。バスバ５１、５３、５４は、ボルトによって、電池モジュール２０の出力端子２３、２４にネジ止めされる。バスバ５１および背面壁５０には、ボルトを挿通するための通孔が形成されている。保持部材５２は、バスバ５１、５３、５４に係止される爪部材から形成されている。保持部材５２は、バスバ５１、５３、５４を脱落しないように背面壁５０に保持できる限度において、適宜の構成に改変でき、例えば、バスバ５１、５３、５４を嵌め込む溝から形成してもよい。収納箱４４は、鋼板またはアルミ板から形成することができる。但し、背面壁５０については、電池モジュール２０の出力端子２３、２４が当接する部分に樹脂材料などから絶縁板を設けたり、背面壁５０そのものを絶縁性の材料から形成したりしている。
【００２３】
係合凹部４２は、開口部４４ａの端部から背面壁５０に向けて伸びるとともに巻き締め部２９が摺動自在に嵌まり込む長溝から形成されている。これにより、複数の電池モジュール２０を、開口部４４ａの端部から、巻き締め部２９を係合凹部４２に嵌め込みながら挿し込むことによって、収納箱４４内に簡単に収納することができる。
【００２４】
背面壁５０には、冷却風を通過させる穴部５５が形成されている。これにより、収納箱４４内における冷却風の流れを確保することができる。穴部５５を通って収納箱４４内に流入した冷却風は、電池モジュール２０を冷却した後、開口部４４ａから流出する。冷却風の流れは、開口部４４ａから流入し、穴部５５から流出する形態でもよい。
【００２５】
図６を参照して、固定部材６０は、積層方向Ｘに沿って移動自在に係合凹部４２に取り付けられ係合凹部４２との間で巻き締め部２９を挟み込むことによって複数の電池モジュール２０の積層方向Ｘに沿う位置を定める固定子６１と、係合凹部４２との間で巻き締め部２９を挟み込む方向に固定子６１を移動させる移動部材６２と、を有している。移動部材６２は、固定子６１への締結動作に伴って固定子６１を移動させるボルト６３から構成されている。
【００２６】
固定子６１は、積層方向Ｘ（図中、上下方向）に沿って移動自在に壁部材４１に組み込まれ、巻き締め部２９が嵌まり込む凹部６４が形成されている。凹部６４は、係合凹部４２とほぼ同じ形状を有している。図６（Ａ）に示される固定子６１の初期位置においては、凹部６４は、係合凹部４２に連続する位置にあり、巻き締め部２９を係合凹部４２に嵌め込みながら、電池モジュール２０を支障なく挿し込むことができる。凹部６４における収納室４８側の前面には略山型形状の係止片６５が設けられている。係止片６５は、電池モジュール２０の側面２１に沿って下方から巻き締め部２９に挿し込まれ得る。固定子６１の上端には、ボルト６３が接続されている。このボルト６３を固定子６１にねじ込んでいくと、この締結動作に伴って固定子６１が上昇移動する。つまり、固定子６１は、係合凹部４２との間で巻き締め部２９を挟み込む方向に移動する。図６（Ｂ）に示される固定子６１の固定位置においては、巻き締め部２９は、係合凹部４２における上面と、固定子６１の凹部６４における下面との間で挟み込まれる。このように、固定子６１が係合凹部４２との間で巻き締め部２９を挟み込むことによって、巻き締め部２９の積層方向Ｘに沿う位置が定まり、その結果、電池モジュール２０の積層方向Ｘに沿う位置が定まる。
【００２７】
次に、作用を説明する。
【００２８】
組電池１１を組み立てる際には、各電池モジュール２０を、開口部４４ａから収納箱４４に挿し込む。このとき、開口部４４ａの端部から、電池モジュール２０の巻き締め部２９を壁部材４１の係合凹部４２に嵌め込む。係合凹部４２によって巻き締め部２９をガイドしながら、電池モジュール２０をスライドさせる。
【００２９】
各電池モジュール２０の挿しこみが終了すると、ボルト６３を固定子６１にねじ込んでいく。この締結動作に伴って固定子６１が上昇移動し、巻き締め部２９が係合凹部４２と固定子６１との間で挟み込まれ、電池モジュール２０の積層方向Ｘに沿う位置が定まる（図６（Ｂ））。また、電池モジュール２０の抜けが防止される。
【００３０】
そして、背面壁５０に保持されたバスバ５１、５３、５４を、ボルトによって、電池モジュール２０の出力端子２３、２４にネジ止めすれば、組電池１１の組み立てが完了する。
【００３１】
上述したように、本実施形態の組電池１１、およびその製造方法にあっては、電池モジュール２０の係合凸部２２を壁部材４１に設けられた係合凹部４２に嵌め込んで積層する形態であり、複数の電池モジュール２０に挿通させる通しボルトを必要としない。このため、通しボルトの軸力を受けるスリーブを電池モジュール２０内に組み付ける必要がない。また、冷却風流路を確保するためのカラーを積層方向Ｘに沿って隣り合う電池モジュール２０同士の間に配置する必要もない。したがって、通しボルトを使用して複数の電池モジュール２０を積層する形態に比べて、電池モジュール２０の製造や組電池１１の組み立ての簡素化を図ることができる。また、電池モジュール２０の側面２１に壁部材４１が存在するので、冷却風が整流され、電池モジュール２０の冷却効果を高めることができる。さらに、通しボルトは比較的長尺でありボルトの捩れが比較的大きいのでトルクの管理が難しいが、組電池１１は、通しボルトを必要としないので、トルク管理の困難さも生じない。
【００３２】
モジュールケース２５の巻き締め部２９を係合凸部２２として利用しているので、専用の係合凸部２２を設ける必要がなく、電池モジュール２０の製造が煩雑になることはない。
【００３３】
積層方向Ｘに沿って隣り合う係合凹部４２は、積層方向Ｘに沿って隣り合う電池モジュール２０同士の間に空間部４３を形成する位置に形成されているので、係合凹部４２同士の間の距離を設定するだけ、空間部４３の大きさを所望の大きさに簡単に設定できる。
【００３４】
通しボルトを使用して複数の電池モジュール２０を積層する形態では、積層された電池モジュール２０を拘束板および通しボルトを使用して下ケースに固定し、上ケースを被せ、この上ケースを下ケースに固定しなければならない。これに対して本実施形態では、一対の壁部材４１は収納箱４４における向かい合う一対の壁面４５から構成されているので、収納箱４４の天板４７の部分が、拘束板の機能と上ケースの機能とを発揮することから、部品点数の削減および重量の低減を図ることができる。また、組電池１１の捩り剛性も向上する。
【００３５】
収納箱４４の背面壁５０にバスバ５１、５３、５４を予め保持することができ、開口部４４ａから電池モジュール２０を収納した後のバスバ５１、５３、５４の締結作業を簡単かつ迅速に行うことができる。
【００３６】
係合凹部４２は、開口部４４ａの端部から背面壁５０に向けて伸びるとともに係合凸部２２が摺動自在に嵌まり込む長溝から形成されているので、複数の電池モジュール２０を、開口部４４ａの端部から収納箱４４内に簡単に収納することができる。
【００３７】
背面壁５０には、冷却風を通過させる穴部５５が形成されているので、収納箱４４内における冷却風の流れを確保することができる。
【００３８】
固定部材６０は、係合凹部４２との間で係合凸部２２を挟み込む固定子６１と、固定子６１を移動させる移動部材６２と、を有し、固定子６１が係合凹部４２との間で係合凸部２２を挟み込むことによって、電池モジュール２０の積層方向Ｘに沿う位置を簡単に定めることができる。
【００３９】
移動部材６２は、固定子６１への締結動作に伴って固定子６１を移動させるボルト６３から構成されているので、移動部材６２の構成が簡単なものとなる。また、このボルト６３は比較的短いものを使用できるので、トルク管理の困難さが生じることはなく、一定の品質を得ることができる。
【００４０】
図７（Ａ）（Ｂ）は、電池モジュール２０を収納箱４４に投入する工程において用いられる投入装置７０を示す平面図および正面図である。
【００４１】
投入装置７０は、モジュールケース２５を巻き締めする巻き締め装置７１の下流側に配置されている。投入装置７０は、巻き締め部２９が形成された電池モジュール２０を搬入する搬入部７２と、収納箱４４に電池モジュール２０を順次投入する投入部７３と、電池モジュール２０を投入する前の収納箱４４を収納する第１収納部７４と、電池モジュール２０を投入した後の収納箱４４を収納する第２収納部７５と、を有している。投入部７３には、収納箱４４を昇降自在および送り自在なリフタ７６が配置されている。収納箱４４の下段側に電池モジュール２０が収納されると、リフタ７６が下降し、収納箱４４の上段側に電池モジュール２０が収納される。４個の収納箱４４を連接した収納容器４９の場合には、空の収納箱４４が投入部７３に位置するように、収納容器４９が送られる。電池モジュール２０の投入が完了した収納容器４９は、第２収納部７５に送られる。
【００４２】
このように、製造された電池モジュール２０を収納箱４４に直接投入することにより、製造された電池モジュール２０を一旦格納しておくための中間ケースが不要となる。中間ケースを使用する場合には、中間ケースへの出し入れのための工数が発生するが、このような工数の発生もなく、コスト的に有利なものとなる。
【図面の簡単な説明】
【００４３】
【図１】図１（Ａ）は、本発明の実施形態に係る組電池を前面側から見た状態を示す斜視図、図１（Ｂ）は、組電池を背面側から見た状態を示す斜視図である。
【図２】図２（Ａ）（Ｂ）（Ｃ）は、それぞれ、組電池を示す平面図、正面図、および背面図である。
【図３】図３（Ａ）（Ｂ）は、それぞれ、組電池を組み立てる際の単位ユニットである電池モジュールの一例を示す正面図、および左側面図、図３（Ｃ）は、図３（Ａ）の３Ｃ−３Ｃ線に沿う概略断面図である。
【図４】図４（Ａ）は、電池モジュールにおける係合凸部としての巻き締め部の説明に供する図、図４（Ｂ）は、図４（Ａ）の４Ｂ−４Ｂ線に沿う断面図である。
【図５】扁平型電池の一例を示す斜視図である。
【図６】図６（Ａ）（Ｂ）（Ｃ）は、係合凹部に嵌まり込んだ係合凸部としての巻き締め部を固定する固定部材の作用の説明に供する図である。
【図７】図７（Ａ）（Ｂ）は、電池モジュールを収納箱に投入する工程において用いられる投入装置を示す平面図および正面図である。
【符号の説明】
【００４４】
１１    組電池、
２０    電池モジュール、
２１    側面（電池モジュールにおける向かい合う端面）、
２２    係合凸部、
２３、２４    出力端子、
２５    モジュールケース、
２６、２７    第１と第２のケース（複数のケース体）、
２６ａ、２７ａ    周縁部、
２８    扁平型電池、
２９    巻き締め部（係合凸部）、
４１    壁部材、
４２    係合凹部、
４３    空間部、
４４    収納箱、
４４ａ  開口部、
４５    収納箱における向かい合う壁面、
４６    下板、
４７    天板、
４８    収納室、
４９    収納容器、
５０    背面壁、
５１    バスバ、
５２    保持部材、
５３、５４    バスバ、
５５    穴部、
６０    固定部材、
６１    固定子、
６２    移動部材、
６３    ボルト（移動部材）、
６４    凹部、
６５    係止片、
７０    投入装置、
７１    巻き締め装置、
７２    搬入部、
７３    投入部、
７４    第１収納部、
７５    第２収納部、
７６    リフタ、
軸Ｘ    複数の電池モジュールを積層する積層方向、
軸Ｙ    積層方向に対して直交する方向。
【図１】
2008147046.tif 000003
【図２】
2008147046.tif 000004
【図３】
2008147046.tif 000005
【図４】
2008147046.tif 000006
【図５】
2008147046.tif 000007
【図６】
2008147046.tif 000008
【図７】
2008147046.tif 000009